(57)【要約】      （修正有）【課題】レーザ切断装置に対し紙製品を搬入出移送するのに用いるコンベヤベルトに関し、搬送面を有するコンベヤベルトを清掃するベルト清掃システムを提供する。【解決手段】ベルト清掃システムはコンベヤベルト１６の下側に配置されたローラアセンブリ２０を備える。ローラアセンブリ２０は、多孔質セラミックで出来た筒状ローラを含む。ローラには、含水性清掃ファイバからなるロールが巻き付けてある。ローラの内部に供給された洗浄液体３０は、向けローラ壁の孔を通過して清掃ファイバのロールを湿らせる。ローラアセンブリ２０は軸受により回動可能に装着し、ロールの外面をコンベヤベルト面１８に対し当接回動させ、それによって湿潤洗浄ファイバがコンベヤベルト面１８から紙屑８を連続的に掻き落とす。【選択図】図１
2012082073.tif 000002
【特許請求の範囲】
【請求項１】
レーザ切断装置におよびレーザ切断装置から紙製品を移送する搬送面を有するコンベヤベルトを清掃するベルト清掃システムであって、
含水材料で構成された清掃ウェブと、
前記清掃ウェブをコンベヤベルト搬送面に回動当接状態に付勢するローラと、を含み、それによって前記清掃ウェブが前記コンベヤベルト搬送面を実質連続的に清掃するローラアセンブリと、
前記清掃ウェブに洗浄液体を供給する液体供給下位システムと、を備える、ベルト清掃システム。
【請求項２】
前記ローラは多孔質材料で出来たシリンダであり、該ローラは外面を有し内腔を画成しており、前記洗浄ウェブは前記ローラの外面の周囲に巻き付けた清掃ファイバからなるロールである、請求項１に記載のベルト清掃システム。
【請求項３】
前記液体供給下位システムは前記ローラ内腔に流体連通しており、前記洗浄液体がローラを通過して前記清掃ウェブを湿らせる、請求項２に記載のベルト清掃システム。
【請求項４】
前記液体供給下位システムは、洗浄液体を収容するよう適合させた洗浄液体貯槽を含んでおり、前記清掃ウェブは近位端部分と遠位端部分とを有する連続ループであり、前記ローラを前記清掃ウェブループの近位端部分に配置し、前記清掃ウェブループの遠位端部分を前記洗浄液体貯槽内に配置した、請求項１に記載のベルト清掃システム。
【請求項５】
前記ローラは、前記清掃ウェブの近位端を前記コンベヤベルト搬送面との当接状態に付勢するよう適合させた回動多孔質ロールを備える、請求項４に記載のベルト清掃システム。
【請求項６】
前記液体供給下位システムはまた、洗浄液体貯槽内に配置した清掃装置を含んでおり、前記清掃装置が前記清掃ウェブから紙屑を取り除く、請求項４に記載のベルト清掃システム。
【発明の詳細な説明】
【技術分野】
【０００１】
本開示は、一般的に紙のレーザ切断用装置に関する。より詳細には、本開示はレーザ切断装置に対し紙製品を搬入出移送するのに用いるコンベヤベルトに関する。
【背景技術】
【０００２】
レーザ切断真空移送ベルト上には、紙屑や汚染物が堆積する。続くパスにおいてレーザが紙屑を加熱し、このことで片や紙屑が移送ベルト上に焼き付けられ、焼き付けられた紙屑が余分なエネルギを吸収し、ベルトをたわませ、ベルトが燃えつきてしまい、早期にベルトに欠陥を生ぜしめる。
【発明の概要】
【発明が解決しようとする課題】
【０００３】
この課題を解決する従来の手法は、機械を稼働させたまま手あるいは機械的に起動される掻き落としブレードを用いて定期的にベルトを清掃するものである。しかしながら、清掃の間に紙屑が堆積し、ベルトがたわみ、粘着性となり、書類を取り除くのが困難となる。
【０００４】
掻き落とした場合、１）紙屑がブレードの掻き落とし端に堆積し、ブレードの効能を低下させ、２）ブレードがベルトを引っ掻き、汚染物の除去をより困難とし、３）移送ベルトのたわみ領域にブレードがアクセスできない。手で清掃した場合、洗浄溶液と紙屑が共に真空引き孔を介して吸引され、ベルトの下側に移動し、そのことが片や駆動上の問題とより多くのベルト欠陥を引き起こすことがある。
【課題を解決するための手段】
【０００５】
搬送面を有するコンベヤベルトを清掃するベルト清掃システムが、提供される。システムは、ローラアセンブリと液体供給源とを備える。ローラアセンブリは、含水性材料で構成された清掃ウェブと、この清掃ウェブをコンベヤベルト搬送面に回動当接状態で付勢するローラとを含む。液体供給下位システムは、清掃ウェブに対し洗浄液体を供給する。
【０００６】
ローラは多孔質材料で出来たシリンダとすることができ、洗浄ウェブはローラの外面の周囲に巻き付ける清掃ファイバからなるロールとする。
【０００７】
液体供給下位システムはローラ内腔に流体連通しており、ローラを洗浄液体が通過して清掃ウェブを湿らせる。
【０００８】
液体供給下位システムには洗浄液体を収容するよう適合させた洗浄液体貯槽を含ませることができ、清掃ウェブは近位端部分と遠位端部分とを有する連続ループとする。ローラは清掃ウェブループの近位端部分に配置され、清掃ウェブループの遠位端部分は洗浄液体貯槽内に配置される。
【０００９】
液体供給下位システムには、洗浄液体貯槽内に配置されて洗浄ウェブから紙屑を除去する洗浄装置も含めることができる。
【図面の簡単な説明】
【００１０】
【図１】コンベヤ上に組み付けた本開示になるベルト清掃システムの第１実施形態の概略図である。
【図２】図１のローラアセンブリの拡大正面図である。
【図３】図２の３−３線に沿って見た断面図である。
【図４】コンベヤ上に組み付けた本開示になるベルト清掃システムの第２実施形態の概略図である。
【発明を実施するための形態】
【００１１】
図面を参照すると、ここでは幾つかの図面を通じ同様の参照符号が同様の部分を表わしており、本開示によるベルト清掃システムは一般に符号１０で指し示してある。ベルト清掃システム１０は、コンベヤベルト、例えばレーザ切断装置に対し製品を搬入出移送するコンベヤベルトのウェブの清掃に用いることができる。
【００１２】
図１を参照すると、コンベヤ１２はその周りにコンベヤベルト１６すなわちウェブが巻き付けられるノーズローラ１４を含んでいる。コンベヤベルト１６の周縁に密接して配置されているのが、ベルト１６の幅を跨ぐベルト清掃システム１０からなる第１の実施形態である。ベルト清掃システム１０はコンベヤベルト１６を実質連続的に清掃し、それによってコンベヤベルト１６の搬送面１８上に紙屑８が蓄積しないようにし、紙屑がレーザ領域（図示せず）に到達するようなことがある前に紙屑８を取り除く。清掃ベルト面１８はレーザを反射し、従来システムに見られるレーザ誘導エッチングやたわみを阻止し、それによってコンベヤベルト１６の寿命を引き延ばす。
【００１３】
図２と図３をさらに参照すると、ベルト清掃システムはコンベヤベルト１６の下側に配置されたローラアセンブリ２０を備える。ローラアセンブリ２０は、例えば多孔質材料２４、例えば多孔質セラミックで出来た筒状ローラ２２を含む。ローラ２２には、含水性清掃ファイバ２８からなるロール２６が巻き付けてある。ローラ２２の内部３２に供給された洗浄液体３０は、向けローラ壁３４の孔２４を通過して清掃ファイバ２８のロール２６を湿らせる。ローラアセンブリ２０は軸受３６により回動可能に装着し、ロール２６の外面３８をコンベヤベルト面１８に対し当接回動させ、それによって湿潤洗浄ファイバ２８がコンベヤベルト面１８から紙屑８を連続的に掻き落とす。駆動システム４０は、コンベヤベルト１６の回動方向と同方向あるいは逆方向に回動させることができる。
【００１４】
洗浄液体３０は、供給管路４４を介して洗浄液体貯槽４２からローラアセンブリ２０へ連続的に給送される。洗浄液体３０は、重力によりローラアセンブリ２０に給送するか、あるいは洗浄液体供給源４２を加圧するかあるいは供給管路４４内のポンプ４６を用いることで、洗浄液体供給源４２から押し出すことができる。コンベヤベルト１６の清掃に必要な量を上回る洗浄液体３０の流れをローラアセンブリ２０へ供給することで、自浄機構を組み込むことができる。過剰な洗浄液体流４８が、清掃ファイバ２８内に埋もれた紙屑８をロール２６の外面３８へ押す。紙屑８とロール２６の外面３８上に位置する他の紙屑８は、過剰な洗浄液体流４８によりロール２６の外面３８から洗い落とされる。ローラアセンブリ２０の下側に配置した液溜め５０が、過剰な洗浄液体流４８をこれがローラアセンブリ２０から滴下される際に回収する。液溜め５０に回収された洗浄液体３０は、紙屑８を除去するフィルタ５２を通過した後、洗浄液体供給源４２へ戻すことができる。
【００１５】
図４を参照すると、第２実施形態のベルト清掃システム１０’は含水性の布あるいはファイバで出来た清掃ウェブ５６からなる連続ループ５４を含んでいる。清掃ウェブループ５４の近位端５８は、通常はコンベヤベルト１６の下側からコンベヤベルト１６の面１８に当接する状態へ押圧される。塗布器６０は、清掃ウェブ５６をコンベヤベルト面１８との当接状態に付勢する。塗布器６０は、発泡体ロールやあるいは他のばね付勢型可撓面要素等の回動多孔質ロールであってよい。洗浄ウェブループ５４の遠位端部分６２は洗浄液体３０を収容した貯槽６４内に配置されており、ここで貯槽６４内に配置された洗浄液体３０は洗浄ウェブループ５４内に保持された洗浄液体３０を補充し、清掃ウェブ５６が適切に湿潤されるよう保証する。貯槽６４内に配置された洗浄液体３０はまた、洗浄ウェブループ５４から紙屑８を濯ぎ落とす。被加圧噴霧洗浄器や被加圧多孔質ローラや回動ブラシローラや洗浄ブラシ等の洗浄装置６５を貯槽６４内に配置し、コンベヤベルト面１８から紙屑８を洗浄することができる。
【００１６】
蓄積された紙屑８は、ポンプ６６を用いて貯槽洗浄液体３０を、フィルタ６８を介して循環させることで洗浄液体３０から取り除くことができる。貯槽液位制御システム７０を用いて貯槽６４内に十分な液位の洗浄液体３０を保ち、洗浄ウェブループ５４の遠位端部分６２が適切に潜没するよう保証することができる。液位検出器７２が、貯槽６４内の洗浄液体３０の液位に対応する信号を制御システムコントローラ７４へ送信する。貯槽６４内の洗浄液体３０の液位が所定の液位に達すると、制御システムコントローラ７４は弁等の流れ制御装置７６を作動させ、新規の洗浄液体３０が貯槽６４内に流入できるようにする。制御システムコントローラ７４は、供給管路８０内のポンプ７８を始動し、洗浄液体３０の流れを促すこともできる。
【図１】
2012082073.tif 000003
【図２】
2012082073.tif 000004
【図３】
2012082073.tif 000005
【図４】
2012082073.tif 000006